(57)【要約】【課題】緩衝装置を持つごみばこを提供する。【解決手段】主に、ベース１０，桶体２０及びカバー３０など要素から形成される。ベース１０に、伝送ロッド１１は取り付けられる。桶体２０の一端はベース１０に接続される。桶体２０はベース１０の反対端に、開口２１が形成される。桶体のフロントエッジには、ベースの一端に近付く箇所に、伝送ロッドと接続する踏み板２３が取り付けられる。桶体のバックエッジには、開口に近付く箇所に、枢設耳が取り付けられる。桶体の中に、押しユニット２５は締め付けられる。カバーには、桶体の枢設耳に枢設、接続するように、枢設、接続ユニットがある。枢設、接続ユニットの中に、伝送ロッドと接続する連動ロッドは設けられる。連動ロッドに、接続ユニット（unit)３４は設置される。接続ユニットは、押しユニットに接触する緩衝装置４０は取り付けられる。【選択図】図１
0003127554.tif 000002
【実用新案登録請求の範囲】
【請求項１】
緩衝装置を持つごみばこにおいて、主に次の要素から形成されており、
ベース（base)に、伝送ロッド（rod)は取り付けられ、
桶体の一端はベース（base)に接続され、桶体はベース（base)の反対端に、開口が形成され、桶体のフロントエッジ（front edge)には、ベース（base)の一端に近付く箇所に、伝送ロッド（rod)と接続する踏み板が取り付けられ、桶体の中に、押しユニット（unit)は締め付けられ、
カバー（cover)は桶体に枢設、接続し、また、カバー（cover)は伝送ロッド（rod)と接続する連動ロッド（rod)を設け、連動ロッド（rod)に、押しユニット（unit)と接触する緩衝装置を取り付け、
そいう形で、緩衝装置がカバー（cover)の桶体にかぶせる力を吸収するので、カバー（cover)がゆっくり桶体の開口をかぶせて、静かにかぶせる効果を達成する緩衝装置を持つごみばこ。
【請求項２】
連動ロッド（rod)と緩衝装置との間は接続ユニット（unit)を経由して相互に接続されることを特徴とする請求項1記載の緩衝装置を持つごみばこ。
【請求項３】
押しユニット（unit)は固定部及び押し部を持ち、緩衝装置はベース（base)の方向に沿って伸ばしてある伸縮端を持ち、固定部は弧状になり、桶体に設けられており、押し部の用途は緩衝装置の伸縮端に接触してあることを特徴とする請求項２記載の緩衝装置を持つごみばこ。
【請求項４】
連動ロッド（rod)に、結合部は設けられ、接続ユニット（unit)は第一端、第二端を持ち、第一端は連動ロッド（rod)の結合部に結び、第二端を経由して、緩衝装置を取り付けることを特徴とする請求項３記載の緩衝装置を持つごみばこ。
【請求項５】
緩衝装置を持つごみばこにおいて、主に次の要素から形成されており、
ベース（base)に、伝送ロッド（rod)は取り付けられ、
桶体の一端はベース（base)に接続され、桶体はベース（base)の反対端に、開口が形成され、桶体のフロントエッジ（front edge)には、ベース（base)の一端に近付く箇所に、伝送ロッド（rod)と接続する踏み板が取り付けられ、桶体の中に、緩衝装置は締め付けられ、
カバー（cover)は桶体に枢設、接続し、また、カバー（cover)は伝送ロッド（rod)と接続する連動ロッド（rod)を設け、連動ロッド（rod)に、緩衝装置と接触する押しユニット（unit)を取り付ける緩衝装置を持つごみばこ。
【請求項６】
緩衝装置は押しユニット（unit)と接触してある伸縮端を持ち、緩衝装置の片側に、接続部は形成され、接続部は数多のリベット（rivet)で、桶体の内側に結ぶことを特徴とする請求項５記載の緩衝装置を持つごみばこ。
【請求項７】
押しユニット（unit)の一端に、溝状の固定部が形成され、固定部は貫通、延伸の二つスクリュー（screw)で、連動ロッド（rod)の結合部に取りつけられることを特徴とする請求項５記載の緩衝装置を持つごみばこ。
【請求項８】
固定部はねじで、固定ユニット（unit)を締め、それで、固定部を連動ロッド（rod)にきつく締め付けることを特徴とする請求項５記載の緩衝装置を持つごみばこ。
【考案の詳細な説明】
【技術分野】
【０００１】
本考案はごみばこに関するものであり、特に、緩衝装置を持ち、静かにかぶせる効果を達成するというごみばこを指す。
【背景技術】
【０００２】
ごみばこは民生の需要品である。ごみの分類及び取り扱いは環境保護にとって、相当的な貢献がある。異なる場合に応じて、業者は多種の形態のごみばこを開発してある。一般的に、プラスチック（plastic)ごみばこ及び金属ごみばこに分けられる。プラスチック（plastic)ごみばこならば、通常、住まい又は公衆の場合に使われる。金属ごみばこならば、ほばレストラント（restaurant)など高級環境に使われる。
【考案の開示】
【考案が解決しようとする課題】
【０００３】
しかし、従来から、既知の金属ごみばこならば、ユーザ（user)が踏み板をリリースしたあとで、金属のカバー（cover)が自身の重量で、桶体に被せたら、いつも大き過ぎる当たり音を招いた。安寧を邪魔するばかりでなく、製品も悪い品質と見なされ、レストラント（restaurant)に購買されなかった。ゆえに、以下の挙げられる例のように、業者は緩衝装置を持つごみばこを設計した。
【０００４】
わが国の特許ライセンスNO M240434 踏み式の二つ折りタイプの置物桶の例を挙げると、主に、外桶体１の固定プレート１６とレバー２との間に、エア・シリンダー（air cylinder）又はオイル・ハイドロリック・シリンダー（oil hydraulic cylinder)の緩衝装置５を取り付ける。それで、活動自在のカバー（cover)４をかぶせるときに、音の出て来ることを避ける。
【０００５】
従来から、既知の結構は実用的に、数多の欠点がある。一方、エア・シリンダー（air cylinder）又はオイル・ハイドロリック・シリンダー（oil hydraulic cylinder）の単価が高いせいで、相対的に、ごみばこの製品の販売値段も高いので、大量の注文書がなくて、消費者の愛用が得られなかった。
【０００６】
また、エア・シリンダー（air cylinder）又はオイル・ハイドロリック・シリンダー（oil hydraulic cylinder）の設計を利用すれば、体積が大きいので、エア・シリンダー（air cylinder）又はオイル・ハイドロリック・シリンダー（oil hydraulic cylinder）の重量が金属ごみばこの重量に加えると、ごみばこのトータル(total)重量は重過ぎる。
【０００７】
その他、エア・シリンダー（air
cylinder）又はオイル・ハイドロリック・シリンダー（oil
hydraulic cylinder）の保守を常にしないと、伸縮の順調が保持出来なかった。ロッド（rod)も湿気を受けて、錆びがつくので、カバー（cover)の順調にかぶせることが得られなかった。以上の問題を解決しなければならない。
【０００８】
要するに、本考案の緩衝装置を持つごみばこの解決したい技術問題は従来から、既知の結構のエア・シリンダー（air cylinder）又はオイル・ハイドロリック・シリンダー（oil hydraulic cylinder）の単価が高いせいで、相対的に、ごみばこの製品の販売値段も高いので、大量の注文書がなくて、消費者の愛用が得られなかったこと、エア・シリンダー（air cylinder）又はオイル・ハイドロリック・シリンダー（oil hydraulic cylinder）の設計を利用すれば、体積が大きいので、エア・シリンダー（air cylinder）又はオイル・ハイドロリック・シリンダー（oil hydraulic cylinder）の重量が金属ごみばこの重量に加えると、ごみばこのトータル(total)重量が重過ぎること、エア・シリンダー（air cylinder）又はオイル・ハイドロリック・シリンダー（oil hydraulic cylinder）の保守を常にしないと、伸縮の順調が保持出来なかった。ロッド（rod)も湿気を受けて、錆びがつくので、カバー（cover)の順調にかぶせることが得られなかったことなどが挙げられて、それらを改進しなければならない。
【課題を解決するための手段】
【０００９】
前掲の問題を解決するために、本考案により、緩衝装置を持つごみばこは主に、ベース（base)、桶体及びカバー（cover)など要素から形成される。ベース（base)に、伝送ロッド（rod)は取り付けられる。桶体の一端はベース（base)に接続される。桶体はベース（base)の反対端に、開口が形成される。桶体のフロントエッジ（front edge)には、ベース（base)の一端に近付く箇所に、伝送ロッド（rod)と接続する踏み板が取り付けられる。桶体のバックエッジ（back edge)には、開口に近付く箇所に、枢設耳が取り付けられる。桶体の中に、押しユニット（unit)は締め付けられる。カバー（cover)には、桶体の枢設耳に枢設、接続するように、枢設、接続ユニット（unit)がある。枢設、接続ユニット（unit)の中に、伝送ロッド（rod)と接続する連動ロッド（rod)は設けられる。連動ロッド（rod)に、接続ユニット（unit)は設置される。接続ユニット（unit)には、押しユニット（unit)に接触する緩衝装置は取り付けられる。そいう形で、緩衝装置がカバー（cover)の桶体にかぶせる力を吸収するので、カバー（cover)がゆっくり桶体の開口をかぶせて、静かにかぶせる効果を達成する。
【考案を実施するための最良の形態】
【００１０】
本案の目的、特徴を遂げて、採用される技術手段及び効果などをご了解 なさるために、以下、さらに具体的な実施例に図面をあわせて詳しく説明してみよう。
【００１１】
まずは図１、図２を御参照して下さい。本考案は主に、ベース（base)１０、ベース（base)１０の上に設ける桶体２０、桶体２０に枢設するカバー（cover)３０など要素から形成される。
【００１２】
ベース（base）１０は地面に接触する。それに伝送ロッド（rod）１１は取り付けられる。
【００１３】
桶体２０は中空状になって、一端に、ベース（base)１０の上に接続される。桶体２０はベース（base)１０の反対端に、開口２１が形成され、内桶２２を収容する。桶体２０のフロントエッジ（front
edge)には、ベース（base)１０の一端に近付く箇所に、踏み板２３が取り付けられる。踏み板２３は伝送ロッド（rod)１１の一端に接続される。ユーザ（user)は踏み板２３を踏むときに、伝送ロッド（rod)１１を連動させる。桶体２０のバックエッジ（back edge)には、開口２１に近付く箇所に、枢設耳２４が取り付けられる。
【００１４】
カバー（cover)３０は桶体２０のバックエッジ（back edge)における枢設耳２４に枢設される。それで、桶体２０に対応するように活動自在に振れられて、開閉の効果を遂げる。カバー（cover)３０のサイドエッジ（side
edge)に、枢設接続ユニット（unit)３１がある。枢設接続ユニット（unit)３１は桶体２０の枢設耳２４に枢設する。枢設接続ユニット（unit)３１から、連動部３２は突き出すように設けられる。連動部３２は桶体２０に貫通する連動ロッド（rod)３３に接続される。連動ロッド（rod)３３は連動部３２の反対端に、伝送ロッド（rod)１１と接続される。
【００１５】
連動ロッド（rod）３３に、結合部３３１は設けられる。結合部３３１はプレースで扁平状のように加工される。結合部３３１に、接続ユニット（unit）３４がある。接続ユニット（unit）３４の断面はほぼ９字形となって、第一端３４１、第二端３４２を持つ。第一端３４１はリベット（rivet）で、結合部３０１に結ぶ。勿論、ボルト(bolt)など方式で締め付けても良い。接続ユニット（unit）３４の第二端３４２に、装飾用の緩衝装置４０を取り付ける。緩衝装置４０はベース（base）方向に沿って延伸してある伸縮端４１を持つ。緩衝装置４０は西ドイツの緩衝ロッド（rod）の既知構造を採用するので、その詳しい説明を省略する。そんな緩衝装置４０は軽い材質、小さい体積を持ち、静かな伸縮など利点もある。そして、ごみばこに取り付けても、重い欠点がなかった。また、内桶２２と桶体２０との間における空間に直接に取り付けてもよいので、ごみばこの結構の変更が多すぎなかった。
【００１６】
桶体２０は内側において、緩衝装置４０の相対位置に、押しユニット（unit）２５を締め付ける。押しユニット（unit）２５の断面はほぼL字形となって、固定部２５１及び押し部２５２を持つ。固定部２５１は弧状になり、桶体２０に設けられて、熔接又は締め付けなど方式で締め付けても良い。押しユニット（unit)２５２の用途は緩衝装置４０の伸縮端４１に接触してある。
【００１７】
図３を御参照して下さい。ユーザ（user）が踏み板２３を踏んで、カバー（cover）３０を開ける時に、伝送ロッド（rod）１１は連動ロッド（rod）３３を上げる。接続ユニット（unit）３４が緩衝装置４０を作動して、上へ移動させる。そして、緩衝装置４０の伸縮端４１は押しユニット（unit）２５の押し部２５２から離れる。そのときに、緩衝装置４０の伸縮端４１が外へ伸ばしてある状態となる。
【００１８】
図４、図５を御参照してください。ユーザ（user)がカバー（cover)３０を桶体２０にかぶせたいときに、直接に、踏み板２３をリリースし、カバー（cover)３０が自身の重量で、桶体２０の開口２１へ移行する。そのときに、連動ロッド（rod)３３が力を受け、下へ移動している。それで、接続ユニット（unit)３４は緩衝装置４０を作動し、押しユニット（unit)２５へ移動させ、しかも、緩衝装置４０の伸縮端４１を押しユニット（unit)２５の押し部２５２に接触させる。
【００１９】
緩衝装置４０の伸縮端４１を押しユニット（unit)２５の押し部２５２に接触させることを経由して、伸縮端４１はゆっくり内へ縮めて、緩衝装置４０の中に入る。そうすると、カバー（cover)３０はゆっくり桶体２０の開口２１へ移行する。カバー（cover)３０が完全に桶体２０の開口２１を閉めるときまで、静かにかぶせる効果を達成する。
【００２０】
図６、図７を御参照して下さい。それは本考案の第二実施例である。本例と前掲の実施例との主要差異は緩衝装置５０と押しユニット（unit)３５の位置が異なる。押しユニット（unit)３５が連動ロッド（rod)３３に取り付けられるが、緩衝装置５０が桶体２０の内側において、押しユニット（unit)３５の相対位置に取り付けられる。
【００２１】
押しユニット（unit)３５の一端に、溝状の固定部３５１が形成される。固定部３５１は貫通、延伸の二つスクリュー（screw)３５２で、連動ロッド（rod)３３の結合部３３１に取りつけられる。固定部３５１はさらに、ねじで、固定ユニット（unit)３５３を締める。それで、固定部３５１を連動ロッド（rod)３３の結合部３３１にきつく締め付ける。
【００２２】
緩衝装置５０が桶体２０の内側において、押しユニット（unit)３５の相対位置に取りつけられる。本実施例ならば、緩衝装置５０を押しユニット（unit)３５の下方に取り付ける。緩衝装置５０は弾性に伸縮できる伸縮端５１を持ち、押しユニット（unit)３５に接触させる。それで、押しユニット（unit)３５が降下しているうちの摩擦抵抗力を提供する。緩衝装置５０の実施は減衰装置を採用してもよい。緩衝装置５０の片側に、接続部５２も形成される。接続部５２は数多のリベット（rivet)５３で、桶体２０の内側に結ぶ。
【００２３】
図８を御参照して下さい。ユーザ（user）がカバー（cover）３０を上へ開ける時に、伝送ロッド（rod）１１は連動ロッド（rod）３３を上げ、押しユニット（unit）３５を上へ移動させる。そして、緩衝装置５０の伸縮端５１は押しユニット（unit）３５から離れる。そのときに、緩衝装置５０の伸縮端５１が外へ伸ばしてある状態となる。
【００２４】
図９、図１０を御参照して下さい。ユーザ（user)がカバー（cover)３０を桶体２０にかぶせたいときに、カバー（cover)３０が自身の重量で、桶体２０の開口２１へ移行する。そのときに、連動ロッド（rod)３３が力を受け、下へ移動している。それで、押しユニット（unit)３５を緩衝装置５０へ移動させ、しかも、緩衝装置５０の伸縮端５１を押しユニット（unit)３５に接触させる。
【００２５】
緩衝装置５０の伸縮端５１を押しユニット（unit)３５に接触させることを経由して、伸縮端５１はゆっくり内へ縮めて、緩衝装置５０の中に入る。そうすると、カバー（cover)３０はゆっくり桶体２０の開口２１へ移行する。カバー（cover)３０が完全に桶体２０の開口２１を閉めるときまで、静かにかぶせる効果を遂げる。
【図面の簡単な説明】
【００２６】
【図１】本考案の立体外観図である。
【図２】本考案の前視図である。
【図３】本考案の側視図である。
【図４】本考案の側視図である。
【図５】本考案の前視図である。
【図６】本考案に係る第二実施例の立体図である。
【図７】本考案に係る第二実施例の局部を示す拡大図である。
【図８】本考案に係る第二実施例の前視図である。
【図９】本考案に係る第二実施例の前視図である。
【図１０】本考案に係る第二実施例の前視図である。
【符号の説明】
【００２７】
１０    ベース（base)
１１    伝送ロッド（rod)
２０    桶体
２１    開口
２２    内桶
２３    踏み板
２４    枢設接続耳
２５    押しユニット（unit）
２５１  固定部
２５２  押し部
３０    カバー（cover）    
３１    枢設接続ユニット（unit)
３２    連動部
３３    連動ロッド（rod)
３３１  結合部
３４    接続ユニット（unit)
３４１  第一端
３４２  第二端
３５    押しユニット（unit)
３５１  固定部
３５２  スクリュー（screw)
３５３  固定ユニット（unit)
４０    緩衝装置
４１    伸縮端
５０    緩衝装置
５１    伸縮端
５２    接続部
５３    リベット（rivet)
【図１】
0003127554.tif 000003
【図２】
0003127554.tif 000004
【図３】
0003127554.tif 000005
【図４】
0003127554.tif 000006
【図５】
0003127554.tif 000007
【図６】
0003127554.tif 000008
【図７】
0003127554.tif 000009
【図８】
0003127554.tif 000010
【図９】
0003127554.tif 000011
【図１０】
0003127554.tif 000012